(57)【要約】      （修正有）【課題】機能性と意匠性を高い次元で両立させたテーブルゲーム用ケースを提供する。【解決手段】テーブルゲーム用ケース１は、正面および天面に開放する収容空間を有するケース本体と、ケース本体に接続され、収容空間の少なくとも正面を覆うことが可能なカバー部材と、ケース本体の天面の少なくとも一部を覆うことが可能な上蓋３０と、を有し、ケース本体の正面は曲面を含んだ形状を有し、カバー部材は、曲面に沿って弾性変形可能な弾性部材２１と、弾性部材２１に固定された接続部材２２とを含み、接続部材２２と上蓋３０とは着脱可能に構成されており、上蓋３０の表面と裏面には、異なった図柄が表示されている。【選択図】図２
0003230697.tif 000002
【実用新案登録請求の範囲】
【請求項１】
正面および天面に開放する収容空間を有するケース本体と、
前記ケース本体に接続され、前記収容空間の少なくとも正面を覆うことが可能なカバー部材と、
前記ケース本体の天面の少なくとも一部を覆うことが可能な上蓋と、を有し、
前記ケース本体の正面は曲面を含んだ形状を有し、
前記カバー部材は、前記曲面に沿って弾性変形可能な弾性部材と、前記弾性部材に固定された接続部材とを含み、
前記接続部材と前記上蓋とは着脱可能に構成されており、
前記上蓋の表面と裏面には、異なった図柄が表示されている、
テーブルゲーム用ケース。
【請求項２】
前記接続部材は薄板部と厚板部により形成され
前記弾性部材は前記薄板部に固定され、
前記弾性部材の厚さと薄板部の厚さの合計が前記厚板部の厚さと略同一となる、
請求項１に記載のテーブルゲーム用ケース。
【請求項３】
前記接続部材と前記上蓋とは磁石により着脱可能に構成されており、
前記磁石は、前記接続部材と前記上蓋の対向する位置に複数埋め込まれ、
前記上蓋の前記磁石の磁性は、それぞれ対向する前記接続部材の前記磁石の磁性と逆になるように配置され、
前記上蓋を前記接続部材に対して表裏反転させて固定した場合にも、前記上蓋の前記磁石の磁性は、それぞれ対向する前記接続部材の前記磁石の磁性と逆になるように配置される、
請求項１に記載のテーブルゲーム用ケース。
【請求項４】
前記ケース本体は、側面視において、前記正面側が曲線形状を有し、背面側が矩形の形状を有する、
請求項１に記載のテーブルゲーム用ケース。
【考案の詳細な説明】
【技術分野】
【０００１】
本考案は、テーブルゲームやその付属品を内部に収納可能なケースに関する。
【背景技術】
【０００２】
テーブルゲームは、購入時に付属しているケースに収容して保管することが通常である。多量のカードや付属品を収容するため、もしくは携帯性を向上させるために、別売のケースを使用して保管することもある。
【考案の概要】
【考案が解決しようとする課題】
【０００３】
購入時に付属しているケースは、製品を店頭で販売するためにテーブルゲームを収容することが主目的であるため、サイズ的もしくは機能的な制約も多く、使い勝手が不足しているものが多い。別売のケースは、収容量を増加させたり、携帯性を向上させたりという目的を達成するために意匠性を犠牲にしているものが多い。
【０００４】
本実用新案は、機能性と意匠性を高い次元で両立させたテーブルゲーム用ケースを提供する。
【課題を解決するための手段】
【０００５】
本実用新案の一様体のテーブルゲーム用ケースは、正面および天面に開放する収容空間を有するケース本体と、前記ケース本体の底面に接続され前記収容空間の少なくとも正面を覆うことが可能なカバー部材と、前記ケース本体の天面の少なくとも一部を覆うことが可能な上蓋と、を有し、前記ケース本体の正面は曲面を含んだ形状を有し、前記カバー部材は、前記曲面に沿って弾性変形可能な弾性部材と、前記弾性部材に固定された接続部材とを含み、前記接続部材と前記上蓋とは着脱可能に構成されており、前記上蓋の表面と裏面には、異なった図柄が表示されている。
【０００６】
前記構成において、前記接続部材は薄板部と厚板部により形成され、前記弾性部材は前記薄板部に固定され、前記弾性部材の厚さと薄板部の厚さの合計が前記厚板部の厚さと略同一となる構成とすることも可能である。
【０００７】
前記構成において、前記接続部材と前記上蓋とは磁石により着脱可能に構成されており、前記磁石は、前記接続部材と前記上蓋の対向する位置に複数埋め込まれ、前記上蓋を前記接続部材に対して表裏反転に係らず、磁石の磁性は対向する磁石の磁性と逆になるように磁石が配置された構成とすることも可能である。
【考案の効果】
【０００８】
上述のようにテーブルゲーム用ケースを構成することにより、機能性と意匠性を高い次元で両立させることができる。
【図面の簡単な説明】
【０００９】
【図１】テーブルゲーム用ケース１の斜視図である。
【図２】上蓋３０と中板４０を分離した状態のテーブルゲーム用ケース１の分解斜視図である。
【図３】テーブルゲーム用ケース１の側面図である。
【図４】テーブルゲーム用ケース１の正面図である。
【図５】テーブルゲーム用ケース１の背面図である。
【図６】テーブルゲーム用ケース１の平面図である。
【図７】カバー部材２０と上蓋３０との着脱部分を示す斜視図である。
【図８】カバー部材２０と上蓋３０で収容空間Ｓ１と収容空間Ｓ２を塞いだ状態を示す斜視図である。
【考案を実施するための形態】
【００１０】
以下、図面にもとづいて本考案の実施形態を説明する。
図１は、テーブルゲーム用ケース１の斜視図である。図１において、左下に向かう方向を前方向もしくは正面側、右上に向かう方向を後方向もしくは背面側とし、右下および左上に向かう方向を左右方向もしくは側面側とする。図１に示すように、テーブルゲーム用ケース１は、ケース本体１０と、カバー部材２０と、上蓋３０と、中板４０とにより構成される。
【００１１】
図２は、上蓋３０と中板４０を分離した状態のテーブルゲーム用ケース１の分解斜視図である。ケース本体１０は、側面に配置される側板１１、底面に配置される底板１２、背面に配置される背板１３、天面（上面）に配置される上板１４により構成される。側板１１、底板１２、背板１３、上板１４により囲まれた部分は、テーブルゲーム用のカードや付属品等を収容するための収容空間Ｓ１を形成する。収容空間Ｓ１は、少なくとも正面（前面）および天面に開放（開口）する構造を有している。本実施例においては、側板１１を４枚配置し、収容空間Ｓ１が３つに分割された構造を有する。しかしながら、側板１１の数はこれに限定されない。側板１１の数は２以上の任意の数で構成可能である。
【００１２】
図３は、テーブルゲーム用ケース１の側面図である。図３に示すように、側板１１は側面視において、前方（正面側）が円弧状の曲線形状を有し、後方（背面側）が矩形の形状を有する。つまり、ケース本体１０の正面は曲面を含んだ形状を有していると言える。側板１１の曲面の下端部には、後述するカバー部材２０の弾性部材２１の厚さに合わせた段差が形成されている。この段差により、弾性部材２１をケース本体１０の底板１２もしくは側板１１の下部に固定したときに、弾性部材２１の底面とケース本体１０の底面とが略同一の高さとなり平坦面を形成する。側板１１の曲面の上端部には、後述するカバー部材２０の接続部材２２の薄板部２２Ａの厚さに合わせた段差が形成されている。この段差により、上蓋３０をケース本体１０の上板１４に装着したときに、テーブルゲーム用ケース１の天面が平坦面を形成する。４枚の側板１１は側面視で同一の形状を有し、底板１２、背板１３、上板１４を介して互いに接続および固定される。
【００１３】
図４は、テーブルゲーム用ケース１の正面図である。図４に示すように、底板１２は、各側板１１の間に配置され、側板１１および背板１３に固定される。本実施例においては、４枚の側板１１を使用しているので、底板１２は３枚に分割されている。底板１２は、平面視で矩形の形状を有している。底板１２の底面には、カバー部材２０の弾性部材２１がリベット２１Ａにより固定されている。なお、底板１２を一枚の板で形成し、底板１２の上に複数の側板１１を配置する構造を採用することも可能である。
【００１４】
図５は、テーブルゲーム用ケース１の背面図である。図５に示すように、背板１３は、背面視においてほぼ矩形状であるが、上部中央付近に切り欠き１３Ａが形成されている。切り欠き１３Ａは、ケース本体１０に対して上蓋３０を開閉させるときにユーザーが手を入れるためのスペースとして機能する。
【００１５】
図６は、テーブルゲーム用ケース１の平面図である。図６に示すように、上板１４は、ケース本体１０の後部側にのみ設けられ、ケース本体１の前部側は上方に向けて開放している。上板１４の天面には、下方に窪んだ凹部が形成されている。凹部は、テーブルゲームの付属品等を収容するための収容空間Ｓ２として使用される。上板１４の天面の左右両端部付近には、磁石１４Ａが埋め込まれている。磁石１４Ａは、上蓋３０の磁石３０Ａと着脱可能に構成されている。上蓋３０の磁石３０Ａの磁性は、それぞれ対向する上板１４の磁石１４Ａの磁性と逆になるように配置されている。なお、上板１４と上蓋３０とが着脱可能に構成されている限り、着脱構造は磁石を用いたものに限られない。例えば凹凸形状による嵌合構造を採用しても良いし、磁性のない金属と磁石との着脱構造を採用しても良い。
【００１６】
以上、ケース本体１０が側板１１、底板１２、背板１３、上板１４により構成されることを説明した。しかしながら、必ずしもケース本体１０は側板１１、底板１２、背板１３、上板１４の全てを含んでいる必要はない。例えば、上板１４を省略して上蓋３０を側板１１の天面に着脱する構造としても良い。また、必ずしもケース本体１０は複数の板を組み合わせて構成される必要はない。例えば、１つの木材から削り出しにより側板１１、底板１２、背板１３、上板１４に相当するような形状を形成することも可能である。
【００１７】
カバー部材２０は、図２に示すように、弾性部材２１と接続部材２２により構成される。弾性部材２１は、天然皮革、合成皮革、樹脂等、一定以上の弾性を有する素材で形成される。弾性部材２１は、一端部においてケース本体１０の底面に接続および固定され、他端部において接続部材２２に接続および固定されている。弾性部材２１の接続部材２２側を上方に向かって持ち上げることにより、弾性部材２１がケース本体１０正面の曲面に沿って弾性変形して側板１１の正面部の曲面に沿って配置される。これにより、カバー部材２０の弾性部材２１が、収容空間Ｓ１の正面全体もしくは正面全体から天面の一部までを覆うことができる。つまり、弾性部材２１は、収容空間Ｓ１の少なくとも正面を覆うことが可能である。
【００１８】
接続部材２２は、図３に示すように、側面視において薄板部２２Ａと厚板部２２Ｂにより形成されている。弾性部材２１は、薄板部２２Ａに固定される。厚板部２２Ｂは、薄板部２２Ａと一体に形成されているが、薄板部２２Ａよりも肉厚が厚い部分である。弾性部材２１の厚さと薄板部２２Ａの厚さの合計が、厚板部２２Ｂの厚さと略同一となる。よって、カバー部材２０は全体として均一な厚さを有する。また、厚板部２２Ｂの厚さは、上蓋３０の厚さと略同一となる。よって、カバー部材２０と上蓋３０とを連結したときに、カバー部材２０と上蓋３０とは全体として均一な厚さを有する。
図７に示すように、接続部材２２の正面には、複数（Ｎ個）の磁石２２Ｃ１〜２２ＣＮが等間隔に埋め込まれている。磁石２２Ｃ１〜２２ＣＮは、後述するように、上蓋３０の磁石３０Ｂ１〜３０ＢＮと着脱可能に構成されている。
【００１９】
上蓋３０は、平面視で矩形の形状を有している。弾性部材２１を側板１１の曲面に沿って弾性変形させたときに、上蓋３０はケース本体１０の天面全体もしくは天面の一部を覆う。つまり、上蓋３０はケース本体１０の天面の少なくとも一部を覆うと言うことができる。カバー部材２０と上蓋３０とでケース本体１０の正面と天面とを全面的に覆うと言うこともできる。上蓋３０の天面には、前端部付近の両端に磁石３０Ａが埋め込まれている。弾性部材２１を側板１１の曲面に沿って弾性変形させたときに、磁石３０Ａは、ケース本体１０の上板１４に埋め込まれた磁石１４Ａと着脱可能に構成されている。これにより、上蓋３０とケース本体１０の上板１４とは着脱可能に構成されている。なお、上蓋３０とケース本体１０とが着脱可能に構成されている限り、着脱構造は磁石を用いたものに限られない。例えば凹凸形状による嵌合構造を採用しても良いし、磁性のない金属と磁石との着脱構造を採用しても良い。
【００２０】
図７は、カバー部材２０と上蓋３０との着脱部分を示す斜視図である。図７では、着脱部分を見せるために、上蓋３０を９０°回転させた状態で示す。図７に示すように、上蓋３０の背面（後面）には、接続部材２２の磁石２２Ｃ１〜２２ＣＮと対向する位置に、複数（Ｎ個）の磁石３０Ｂ１〜３０ＢＮが等間隔に埋め込まれている。上蓋３０の磁石３０Ｂ１〜３０ＢＮの磁性は、それぞれ対向する接続部材２２の磁石２２Ｃ１〜２２ＣＮの磁性と逆になるように配置されている。例えば、接続部材２２の磁石２２Ｃ１がＳ極である場合には、その磁石に対向する上蓋３０の磁石３０Ｂ１の磁性はＮ極とする。さらに、上蓋３０を接続部材２２に対して表裏反転させて固定した場合にも、上蓋３０の磁石３０Ｂ１〜３０ＢＮの磁性は、それぞれ対向する接続部材２２の磁石２２Ｃ１〜２２ＣＮの磁性と逆になる。例えば、接続部材２２の磁石２２Ｃ１がＳ極である場合には、反転させた場合にその磁石に対向する上蓋３０の磁石３０ＢＮの磁性はＮ極とする。つまり、上蓋３０の磁石がＮ個で構成される場合、左端から１個目の磁石の極性とＮ個目の磁石の極性は同じであり、左端から２個目の磁石の極性とＮ−１個目の磁石の極性は同じであり、３個目以降も同様の関係が成立する。接続部材２２の磁石２２Ｃ１〜２２ＣＮに関しても同一の関係が成立する。上記のような構成で磁石を配置することにより、上蓋３０を接続部材２２に対して表裏反転させて着脱することが可能となる。上蓋３０には装飾を施すことが可能であり、上蓋３０の天面（表面）と底面（裏面）とで異なった図柄を表示することができる。上蓋３０を接続部材２２に対して表裏反転させて着脱することで、天面（表面）を外に向けることもできるとともに底面（裏面）を外側に向けることもできるため、外側に向ける図柄を入れ替えることができる。図柄を表示する方法は特に限定されない。印刷、彫刻、貼り付け等、既存の様々な方法で図柄を表示することが可能である。
【００２１】
中板４０は、各側板１１の間に配置される。図２に示すように、各側板１１に設けられた凹部１１Ａに着脱可能に嵌めこまれる。本実施例においては、４枚の側板１１を使用しているので、中板４０は３枚配置される。中板４０は、平面視で矩形の形状を有しているが、前方部に平面視において円弧状の窪みを有する。上蓋３０を取り外した状態もしくは上蓋３０を開いた状態でケース本体１０の天面は外部に開放しているが、中板４０を装着することにより、天面の一部を塞ぐことが可能となる。上蓋３０と同様に、中板４０にも装飾を施すことが可能であり、中板４０の天面（表面）と底面（裏面）とで異なった図柄を表示することができる。中板４０を表裏反転させて着脱することで外側に向ける図柄を入れ替えることができる。
【００２２】
以下、テーブルゲーム用ケース１の使用方法について説明する。図１に示すように、カバー部材２０と上蓋３０を開いた状態で、収容空間Ｓ１の内部にカード等を収容し、収容空間Ｓ２の内部にその他の付属品等を収容可能である。
【００２３】
図８は、カバー部材２０と上蓋３０で収容空間Ｓ１と収容空間Ｓ２を塞いだ状態を示す斜視図である。図８に示すように、ケース本体１０を筺体正面の曲面に沿って上方へ折り返し、上蓋３０の磁石３０Ａを、ケース本体１０の上板１４に埋め込まれた磁石１４Ａに固定する。これにより、カバー部材２０と上蓋３０とで収容空間Ｓ１と収容空間Ｓ２を覆い隠すことができる。このような状態でテーブルゲーム用ケース１は本のような外観を呈し、テーブルゲーム用ケース１全体を縦向きに配置することで省スペース化も可能である。また、上蓋３０の外側には装飾が施されているため、テーブルゲーム用ケース１は、部屋のインテリアを装飾するアクセサリーとしての機能を発揮することもできる。
【００２４】
図２に示すように、上蓋３０はカバー部材２０から脱着可能となっており、内板４０はケース本体１０から脱着可能となっている。上蓋３０をケース本体１０に固定した状態でカバー部材２０を上蓋３０から分離することも可能であり、上蓋３０を閉じた状態で正面方向から収容空間Ｓ１に対してテーブルゲーム用のカードや付属品を出し入れすることもできる。上蓋３０をカバー部材２０から脱着したり、内板４０をケース本体１０から脱着したり、カバー部材２０をケース本体に対して開閉させたりすることで、テーブルゲーム用ケース１を幼児用玩具として使用することも可能である。
【００２５】
上蓋３０や中板４０に表示させる図柄を工夫することにより、テーブルゲーム用ケース１を様々な用途に使用することも可能である。例えば、上蓋３０にテーブルゲームのプレイフィールドを表示させておくことにより、上蓋３０をゲーム盤として使用することもできる。この場合、テーブルゲーム用品をテーブルゲーム用ケース１の内部に収容しつつ、上蓋３０をゲーム盤として使用できるので省スペース化が可能である。なお、上蓋３０の表面には意匠性に優れたデザインを表示させておき、裏面にプレイフィールドを表示させておくことで、ゲーム時以外はプレイフィールドを外観から見えなくすることも可能である。
【００２６】
上記の説明において、テーブルゲーム用ケース１は、テーブルゲーム用のカードや付属品を収容するケースとして説明したが、テーブルゲーム用ケース１に収容する物品はこれに限られない。その他の用品を収容するための、より汎用的な小物入れとして使用することも可能である。
【００２７】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【符号の説明】
【００２８】
１…テーブルゲーム用ケース、１０…ケース本体、１１…側板、１２…底板、１３…背板、１４…上板、２０…カバー部材、２１…弾性部材、２２…接続部材、３０…上蓋、４０…中板。
【図１】
0003230697.tif 000003
【図２】
0003230697.tif 000004
【図３】
0003230697.tif 000005
【図４】
0003230697.tif 000006
【図５】
0003230697.tif 000007
【図６】
0003230697.tif 000008
【図７】
0003230697.tif 000009
【図８】
0003230697.tif 000010